(57)【要約】      （修正有）【課題】駆動効率を向上させたスピーカを提供する。【解決手段】スピーカは、フェライト・ヨーク・プレート、内側磁石、第１磁極部材、外側磁石、第２磁極部材、振動板、および音声コイルを含む。内側および外側の磁石の両方とも、フェライト・ヨーク・プレートに配置されて、互いに離れて間隔を置いて配置される。第１磁極部材は内側磁石の上部に配置されるのに対して、第２磁極部材は外側磁石の上部に配置される。また、第１磁極部材の周囲および第２磁極部材の周囲は、互いに離れて間隔を置いて配置され、かつ隙間を画定する。音声コイルは振動板に接続され、そして軸方向に伸びて、２つの磁極部材間の隙間に入る。それによって、スピーカ中の磁力線はより一様に集中することができて、音声コイルの駆動効率は向上して、特にマイクロ・スピーカに適したものにする。【選択図】図３
0003172394.tif 000002
【実用新案登録請求の範囲】
【請求項１】
フェライト・ヨーク・プレートと、
前記フェライト・ヨーク・プレートに配置される内側磁石と、
前記内側磁石の上部に配置される第１磁極部材と、
前記フェライト・ヨーク・プレートに配置されて、前記内側磁石から離れて間隔を置いて配置される外側磁石と、
前記外側磁石の上部に配置される第２磁極部材であって、第１磁極部材の周囲および第２磁極部材の周囲は、互いに離れて間隔を置いて配置され、かつ隙間を画定する第２磁極部材と、
振動板と、
前記振動板に接続され、そして軸方向に伸びて、前記２つの磁極部材間の隙間に入る音声コイルと、
を備えるスピーカ。
【請求項２】
ハウジングおよびイヤーマフを更に備え、そこでは前記フェライト・ヨーク・プレート、前記内側磁石、前記第１磁極部材、前記外側磁石、前記第２磁極部材、前記振動板、および音声コイルが収容スペースに受け入れられるように、前記ハウジングおよび前記イヤーマフは前記収容スペースを画定する請求項１に記載のスピーカ。
【請求項３】
イヤホンに関する請求項１に記載のスピーカ。
【請求項４】
ヘッドホンに関する請求項１に記載のスピーカ。
【考案の詳細な説明】
【技術分野】
【０００１】
本考案は、スピーカ構造体、より詳細には駆動効率を向上させることが可能な双磁石スピーカ構造体に関する。
【背景技術】
【０００２】
従来のスピーカを例示している断面図である図１Ａを参照すると、スピーカは、主として、フェライト・ヨーク８１、磁石８２、磁極部材８３、音声コイル８４、および振動板８５を含む。フェライト・ヨーク８１は、ボウルのような形状を有して、水平部分８１１と、水平部分８１１の周囲から垂直に伸びている垂直部分８１２とを有する。磁石８２は円筒状であり、そしてその底部は水平部分８１１の表面に配置され、かつ磁石８２のその上部は磁極部材８３を支持する。
【０００３】
フェライト・ヨーク８１の垂直部分８１２は、軸方向に、そして対応して磁極部材８３まで伸びて、そこから離れて放射状に間隔を置いて配置される。音声コイル８４は、振動板８５に接続しているその一端を有すると共に、垂直部分８１２と磁極部材８３の間に伸びるその別の端を有する。磁石８２が異極性のその２つの端を有するので、磁石８２の上部に接触する磁極部材８３は、誘導のため、磁石８２の底部に接触するフェライト・ヨーク８１に対して異極性を有する。
【０００４】
スピーカの場合は、それは、音声コイル８４に誘起磁場を生じさせるように音声コイル８４に電力を供給することによる。音声コイル８４は磁極部材８３およびフェライトから生じる磁場に位置する。振動板８５は、誘起磁場および磁場によって生じる引力および反発力のために音を出す。
【０００５】
ここで、別の従来のスピーカを例示している断面図である図２Ａを参照すると、スピーカは、主として、フェライト・ヨーク９１、磁石９２、磁極部材９３、音声コイル９４、および振動板９５を含む。同様に、フェライト・ヨーク９１はまた、水平部分９１１と、水平部分９１１から垂直に伸びている垂直部分９１２とを含む。磁石９２は環状であり、そしてその底部は水平部分９１１の表面に配置されて、磁石９２のその上部は磁極部材９３を支持する。
【０００６】
フェライト・ヨーク９１の垂直部分９１２は、軸方向に、そして対応して磁極部材９３まで伸びて、そこから離れて放射状に間隔を置いて配置される。音声コイル９４は、振動板９５に接続しているその一端を有すると共に、垂直部分９１２と磁極部材９３の間に伸びるその別の端を有する。スピーカが音を出す原理は、図１Ａに示すものと同様であり、したがって更なる冗長な説明は必要でない。
【考案の概要】
【考案が解決しようとする課題】
【０００７】
しかしながら、従来のスピーカは両方とも共通の欠点を有する。すなわち、磁極部材８３、９３とフェライト・ヨーク８１、９１の間の磁力線の分布は、フェライト・ヨーク８１、９１の構造性質のため、比較的拡散している。換言すれば、水平部分８１１、９１１および垂直部分８１２、９１２がＬ字形の構造を構成するので、磁極部材８３、９３からの磁力線の一部は全垂直部分８１２、９１２に向けられ、そしてかなりの割合の磁力線は、図１Ａに示す従来のスピーカの一部拡大図である図１Ｂに示すように、及び図２Ａに示す従来のスピーカの一部拡大図である図２Ｂに示すように、音声コイル８４、９４を通過することができない。より広い帯域分布が様々なタイプの音楽のために必要とされるので、磁力線の非集中の問題が原音再生の能力に対する制限を生じる。
【課題を解決するための手段】
【０００８】
本考案は、フェライト・ヨーク・プレート、内側磁石、第１磁極部材、外側磁石、第２磁極部材、振動板、および音声コイルを含むスピーカを提供することである。内側および外側の磁石は両方ともフェライト・ヨーク・プレートに配置され、かつ互いから間隔を置いて配置される。
【０００９】
本考案では、第１磁極部材は内側磁石の上部に配置されるのに対して、第２磁極部材は外側磁石の上部に配置される。また、第１磁極部材の周囲および第２磁極部材の周囲は、互いから間隔を置いて配置され、かつ隙間を画定する。音声コイルは振動板に接続され、かつ２つの磁極部材間の隙間を軸方向に伸びる。
【００１０】
本考案によるスピーカ構造体によって、スピーカの磁力線は、２つの磁極部材間の隙間において、音声コイルの運動と垂直に交差する範囲において、より一様に集中することができ、そこでは大部分の磁場エネルギーは駆動のために使用される。本考案は、特にマイクロ・スピーカ、例えばイヤホンに適している。これは駆動力が効果的に使われるからであり、その結果、微小寸法の振動板は、低音部の重量の感覚を増大させ、そしてトレブルの繊細さを強調するように、比較的大量の空気を押すための振幅を生じることができる。したがって、動的な（ダイナミックナ）音楽鑑賞の範囲を推進することができる。
【００１１】
このスピーカは、ハウジングおよびイヤーマフを更に備えることができ、そこにおいて、フェライト・ヨーク・プレート、内側磁石、第１磁極部材、外側磁石、第２磁極部材、振動板、および音声コイルが収容スペースに受け入れられるように、ハウジングおよびイヤーマフは収容スペースを画定する。
【００１２】
またさらに、このスピーカはイヤホンまたはヘッドホンに関することができる。
【００１３】
本考案の他の目的、利点、および新しい特徴は、添付の図面を参照するとき、以下の詳細な説明からより明らかになる。
【図面の簡単な説明】
【００１４】
【図１Ａ】従来のスピーカを例示している断面図である。
【図１Ｂ】図１Ａに示す従来のスピーカの一部拡大図である。
【図２Ａ】別の従来のスピーカを例示している断面図である。
【図２Ｂ】図２Ａに示す従来のスピーカの一部拡大図である。
【図３】本考案の第１実施形態に従ってスピーカを具体化しているイヤホンを例示している分解図である。
【図４】本考案の第１実施形態に従ってスピーカ・ユニットを例示している分解図である。
【図５】本考案の第１実施形態に従ってスピーカ・ユニットを例示している断面図である。
【図６】本考案の第２実施形態に従ってスピーカを具体化しているヘッドホンを例示している斜視図である。
【考案を実施するための形態】
【００１５】
スピーカの動作がスピーカ中の磁力線を拡散させる無駄に結果としてなるという問題を解決するために、本考案は、磁力線に集中作用を及ぼすのを特徴とする革新的なスピーカ構造体を提案する。結果として、本考案は、従来の技術のように、長い垂直部分を有するＬ字形のフェライト・ヨークを採用しないが、その代わりに、スピーカ中の磁力線を集中させるために、付加的な磁石および磁極部材アセンブリと共にフェライト・ヨーク・プレートを採用する。
【００１６】
本考案の第１実施形態に従ってスピーカを具体化しているイヤホンを例示している分解図である図３を参照すると、イヤホンは、主として、ハウジング２１、イヤーマフ２２、スピーカ・ユニット１０、および信号入力コード２３を含む。イヤーマフ２２はハウジング２１に固定されて、ハウジング２１と共に、スピーカ・ユニット１０が配置される収容スペースＳ１を画定する。信号入力コード２３はハウジング２１に入り込んで、スピーカ・ユニット１０に電気的に接続する。
【００１７】
本考案の第１実施形態に従ってスピーカ・ユニットを例示している分解図である図４、およびスピーカ・ユニットを例示している断面図である図５を更に参照すると、スピーカ・ユニット１０は、フェライト・ヨーク・プレート１１、内側磁石１２、第１磁極部材１３、外側磁石１４、第２磁極部材１５、および振動板１６を含む。内側磁石１２は円筒状であるのに対して、外側磁石１４は環状であり、そして環状外側磁石１４が内側磁石１２を囲み、かつ内側磁石１２と間隔を置いて配置されるように、内側および外側の磁石１２，１４の両方とも、フェライト・ヨーク・プレート１１の積載表面１１１上に配置されて、それらの底部により固定される。
【００１８】
更に、本実施形態によれば、第１磁極部材１３はディスク様であり、第１磁極部材１３が内側磁石１２の直径より大きい直径を有するように、内側磁石１２の上部に固定される。第２磁極部材１５はボウル様であり、ボウル底部１５１と、ボウル底部１５１の外周から上方へ斜めに伸びているボウル縁部１５２とを含み、そこにおいて穴１５３がボウル底部１５１の中央に設けられている。第２磁極部材１５は、そのボウル底部１５１によって外側磁石１４の上部に固定される。第１磁極部材１３の少なくとも一部は穴１５３に配置され、その結果、２つの磁極部材１３、１５は軸方向に重ねられる。また、第１磁極部材１３の外周および第２磁極部材１５の内周は、環状隙間ｔを画定するように、各々から離れて放射状に間隔を置いて配置される。
【００１９】
振動板１６の面が第２磁極部材１５のボウル縁部１５２に固定されるように、振動板１６は２つの磁極部材１３、１５の上に張設される。環状音声コイル１７は、一端で、磁極部材１３、１５の近くの振動板１６の表面に当接する一方で、他端で、軸方向に伸びて、隙間ｔに入る。
【００２０】
対応する磁極部材１３、１５が異極性に誘導されるように、内側および外側の磁石１２、１４が配列されなければならない点に留意する必要がある。例えば、内側磁石１２は、第１磁極部材１３をＮ極として誘導するのに対して、外側磁石１４は第２磁極部材１５をＳ極として誘導する。
【００２１】
図５に示すように、本実施形態による上述の双磁石スピーカ構造体によって、磁力線は、第１磁極部材１３と第２磁極部材１５の間に、すなわち、第１磁極部材１３の周囲から第２磁極部材１５の周囲に向かって、分布し、磁力線がフェライト・ヨーク８１、９１の全垂直部分８１２、９１２に分布して、低い駆動効率に結果としてなっている従来の技術とは異なり、著しく集中した様相を示す。本考案は、薄型デスクトップ・スピーカまたはイヤホンに適用される場合は、優れた効果を明らかにする。
【００２２】
ここで、本考案の第２実施形態に従ってスピーカを具体化しているヘッドホンを例示している斜視図である図６を参照すると、ヘッドホンは、ハウジング３１、スピーカ・ユニット３０、およびイヤーマフ３２を含む。スピーカ・ユニット３０は、第１実施形態の構造体と類似の構造を備えているので、更に冗長な説明は必要でない。イヤーマフ３２は柔らかい革でできている。本実施形態において、スピーカ・ユニット３０は、ハウジング３１およびイヤーマフ３２によって囲まれて、画定される収容スペースＳ２内に配置される。
【００２３】
本考案がその好ましい実施形態に関して説明されたけれども、多くの他のありうる修正及び変更が請求される本考案の範囲を逸脱せずになされることができることを理解すべきである。
【符号の説明】
【００２４】
１０    スピーカ・ユニット
１１    フェライト・ヨーク・プレート
１２    内側磁石
１３    第１磁極部材
１４    外側磁石
１５    第２磁極部材
１６    振動板
１７    環状音声コイル
２１    ハウジング
２２    イヤーマフ
２３    信号入力コード
３０    スピーカ・ユニット
３１    ハウジング
３２    イヤーマフ
８１    フェライト・ヨーク
８２    磁石
８３    磁極部材
８４    音声コイル
８５    振動板
９１    フェライト・ヨーク
９２    磁石
９３    磁極部材
９４    音声コイル
９５    振動板
１１１    積載表面
１５１    ボウル底部
１５２    ボウル縁部
１５３    穴
８１１    水平部分
８１２    垂直部分
９１１    水平部分
９１２    垂直部分
Ｓ１    収容スペース
Ｓ２    収容スペース
ｔ    隙間
【図１Ａ】
0003172394.tif 000003
【図１Ｂ】
0003172394.tif 000004
【図２Ａ】
0003172394.tif 000005
【図２Ｂ】
0003172394.tif 000006
【図３】
0003172394.tif 000007
【図４】
0003172394.tif 000008
【図５】
0003172394.tif 000009
【図６】
0003172394.tif 000010